(57)【要約】  リソース共有方法は、あらかじめ構成された配信時間期間内に配信されるリソース共有メッセージ構成ファイルを受信するステップと、リソース共有メッセージ構成ファイルに従ってテーマ活動時間期間を取得するステップと、テーマ活動時間期間中にリソース共有メッセージ構成ポータルを表示するステップと、リソース共有メッセージ構成ポータル上の動作を検出し、リソース共有メッセージ構成ページに入るステップと、リソース共有メッセージ構成ページ上で実行される構成に従って、テーマ活動時間期間と一致するリソース共有メッセージテンプレートと、リソース共有メッセージテンプレートと一致するリソース情報とを取得するステップと、取得されたリソース共有メッセージテンプレートおよびリソース情報に従ってリソース共有メッセージを生成するステップであって、リソース共有メッセージがリソースを取得するためのデータを含む、ステップと、リソース共有メッセージを共有するステップとを含む。
2019508794.tif 000002
【特許請求の範囲】
【請求項１】
リソース共有方法であって、
あらかじめ構成された配信時間期間内に配信されるリソース共有メッセージ構成ファイルを受信するステップと、
前記リソース共有メッセージ構成ファイルに従ってテーマ活動時間期間を取得するステップと、
前記テーマ活動時間期間中にリソース共有メッセージ構成ポータルを表示するステップと、
前記リソース共有メッセージ構成ポータル上の動作を検出し、リソース共有メッセージ構成ページに入るステップと、
前記リソース共有メッセージ構成ページの構成に従って、前記テーマ活動時間期間に対応するリソース共有メッセージテンプレートを取得し、前記リソース共有メッセージテンプレートと一致するリソース情報とを取得するステップと、
前記取得されたリソース共有メッセージテンプレートおよび前記リソース情報に従ってリソース共有メッセージを生成するステップであって、前記リソース共有メッセージがリソースを取得するためのデータを備える、ステップと、
前記リソース共有メッセージを共有するステップと、
を備える、方法。
【請求項２】
あらかじめ構成された配信時間期間内に配信される前記リソース共有メッセージ構成ファイルを受信するステップが、
配信ポリシーに従って前記あらかじめ構成された配信時間期間内に配信される前記リソース共有メッセージ構成ファイルを受信するステップを備え、前記配信ポリシーが、配信対象のユーザ、端末オペレーティングシステムのタイプ、および配信対象領域のうちの少なくとも1つを備える、請求項1に記載の方法。
【請求項３】
前記リソース共有メッセージ構成ページの前記構成に従って、前記テーマ活動時間期間と一致する前記リソース共有メッセージテンプレートと、前記リソース共有メッセージテンプレートと一致する前記リソース情報とを取得するステップが、
前記リソース共有メッセージ構成ファイルに従って、前記テーマ活動時間期間と一致する候補リソース共有メッセージテンプレートと、候補リソース情報とを、前記リソース共有メッセージ構成ページ上に表示するステップと、
切替え命令を受信し、前記表示されたリソース共有メッセージテンプレートおよび/または前記表示されたリソース情報を切り替えるステップであって、前記切替え後の表示されたリソース共有メッセージテンプレートが前記切替え後の表示されたリソース情報と一致する、ステップと、
肯定応答命令を受信し、前記肯定応答命令に従って現在表示されているリソース共有メッセージテンプレートと現在表示されているリソース情報とを取得するステップと
を備える、請求項1に記載の方法。
【請求項４】
前記リソース共有メッセージテンプレートがリソース共有メッセージ画像とリソース共有メッセージテキストとを備え、前記リソース情報がリソース共有を備え、前記方法が、
前記リソース共有に対応する支払い要求を開始するステップと、
前記支払い要求に対応する支払い結果を受信するステップと、
前記リソース共有メッセージ画像を送信し、前記リソース共有メッセージテキストと前記リソース共有とを前記リソース共有メッセージ画像上に表示するステップと、
をさらに備える、請求項1に記載の方法。
【請求項５】
リソース共有方法であって、
あらかじめ構成されたリソース共有メッセージ構成ファイルを取得するステップと、
前記リソース共有メッセージ構成ファイルを受信する端末が、前記リソース共有メッセージ構成ファイルに従ってテーマ活動時間期間を取得し、前記端末が、前記テーマ活動時間期間中に、前記テーマ活動時間期間と一致するリソース共有メッセージテンプレートと、前記リソース共有メッセージテンプレートと一致するリソース情報とを取得するように、あらかじめ構成された配信時間期間内に前記リソース共有メッセージ構成ファイルを配信するステップと、
前記リソース共有メッセージテンプレートおよび前記リソース情報に従って生成され、前記端末によって送信されたリソース共有メッセージを受信するステップであって、前記リソース共有メッセージがリソースを取得するためのデータを備える、ステップと、
前記リソース共有メッセージを共有するステップと、
を備える、方法。
【請求項６】
前記あらかじめ構成された配信時間期間内に前記リソース共有メッセージ構成ファイルを配信するステップが、
配信ポリシーに従って前記あらかじめ構成された配信時間期間内に前記リソース共有メッセージ構成ファイルを配信するステップを含み、前記配信ポリシーが、配信対象のユーザ、端末オペレーティングシステムのタイプ、および配信対象領域のうちの少なくとも1つを備える、請求項5に記載の方法。
【請求項７】
前記リソース共有メッセージテンプレートがリソース共有メッセージ画像とリソース共有メッセージテキストとを備え、前記リソース情報がリソース共有を備え、前記方法が、
前記端末によって開始され、前記リソース共有に対応する支払い要求を受信するステップと、
前記端末が、前記リソース共有メッセージ画像を送信し、前記リソース共有メッセージテキストと前記リソース共有とを前記リソース共有メッセージ画像に表示するように、前記支払い要求に応じて支払い動作を実行し、支払い結果を前記端末にフィードバックするステップと
をさらに備える、請求項5に記載の方法。
【請求項８】
前記表示されたリソース共有メッセージ画像に対する動作に応答して、前記端末によって送信されたリソース取得要求を受信するステップであって、前記リソース取得要求が、リソース取得者識別子を備える、ステップと、
前記リソース共有に従って前記リソース取得者識別子にリソースを割り振るステップと
をさらに備える、請求項7に記載の方法。
【請求項９】
リソース共有方法であって、
リソース共有メッセージを受信するステップと、
前記リソース共有メッセージに対応するリソース共有メッセージテンプレートを取得し、前記リソース共有メッセージテンプレートと一致するリソース情報を取得するステップであって、前記リソース共有メッセージテンプレートがテーマ活動時間期間と一致する、ステップと、
前記リソース共有メッセージテンプレートを表示するステップと、
前記表示されたリソース共有メッセージテンプレートの動作命令を取得するステップと、
前記動作命令に従って、リソース取得者識別子を備えるリソース取得要求を生成するステップと、
前記リソース情報に従って前記リソース取得者識別子にリソースを割り振るサーバに、前記リソース取得要求を送信するステップと、
を備える、方法。
【請求項１０】
前記リソース共有メッセージに対応する前記リソース共有メッセージテンプレートを取得し、前記リソース共有メッセージテンプレートと一致する前記リソース情報を取得するステップが、
前記リソース共有メッセージに対応するリソース共有メッセージ画像がローカルマシンに存在するか否かを決定するステップと、
前記リソース共有メッセージに対応する前記リソース共有メッセージ画像が前記ローカルマシンに存在する場合、前記ローカルマシンから前記リソース共有メッセージ画像を取得するステップであって、前記リソース共有メッセージテンプレートを表示するステップが、前記ローカルマシンから取得した前記リソース共有メッセージ画像を表示するステップを備える、ステップ、または、
前記リソース共有メッセージに対応するリソース共有メッセージ画像が前記ローカルマシンに存在しない場合、前記ローカルマシンにデフォルトリソース共有メッセージ画像を表示し、前記リソース共有メッセージに対応する前記リソース共有メッセージ画像を前記サーバから引き出すステップであって、前記リソース共有メッセージテンプレートを表示するステップが、前記デフォルトリソース共有メッセージ画像の表示を終了するステップと、前記サーバから引き出された前記リソース共有メッセージ画像を表示するステップとを備える、ステップ、
を備える、請求項9に記載の方法。
【請求項１１】
メモリとプロセッサとを備える端末であって、前記メモリがコンピュータ可読命令を記憶し、前記命令が、前記プロセッサによって実行されると、前記プロセッサに、
あらかじめ構成された配信時間期間内に配信されるリソース共有メッセージ構成ファイルを受信するステップと、
前記リソース共有メッセージ構成ファイルに従ってテーマ活動時間期間を取得するステップと、
前記テーマ活動時間期間中にリソース共有メッセージ構成ポータルを表示するステップと、
前記リソース共有メッセージ構成ポータル上の動作を検出し、リソース共有メッセージ構成ページに入るステップと、
前記リソース共有メッセージ構成ページの構成に従って、前記テーマ活動時間期間に対応するリソース共有メッセージテンプレートを取得し、前記リソース共有メッセージテンプレートと一致するリソース情報とを取得するステップと、
前記取得されたリソース共有メッセージテンプレートおよび前記リソース情報に従ってリソース共有メッセージを生成するステップであって、前記リソース共有メッセージがリソースを取得するためのデータを備える、ステップと、
前記リソース共有メッセージを共有するステップと、
を実行させる、端末。
【請求項１２】
あらかじめ構成された配信時間期間内に配信される前記リソース共有メッセージ構成ファイルを受信するステップが、
配信ポリシーに従って前記あらかじめ構成された配信時間期間内に配信される前記リソース共有メッセージ構成ファイルを受信するステップを備え、前記配信ポリシーが、配信対象のユーザ、端末オペレーティングシステムのタイプ、および配信対象領域のうちの少なくとも1つを備える、請求項11に記載の端末。
【請求項１３】
前記リソース共有メッセージ構成ページの前記構成に従って、前記テーマ活動時間期間と一致する前記リソース共有メッセージテンプレートと、前記リソース共有メッセージテンプレートと一致する前記リソース情報とを取得するステップが、
前記リソース共有メッセージ構成ファイルに従って、前記テーマ活動時間期間と一致する候補リソース共有メッセージテンプレートと、候補リソース情報とを、前記リソース共有メッセージ構成ページ上に表示するステップと、
切替え命令を受信し、前記表示されたリソース共有メッセージテンプレートおよび/または前記表示されたリソース情報を切り替えるステップであって、前記切替え後の表示されたリソース共有メッセージテンプレートが前記切替え後の表示されたリソース情報と一致する、ステップと、
肯定応答命令を受信し、前記肯定応答命令に従って現在表示されているリソース共有メッセージテンプレートと現在表示されているリソース情報とを取得するステップと
を備える、請求項11に記載の端末。
【請求項１４】
前記リソース共有メッセージテンプレートがリソース共有メッセージ画像とリソース共有メッセージテキストとを備え、前記リソース情報がリソース共有を備え、前記コンピュータ可読命令が、前記プロセッサによって実行されると、前記プロセッサに、
前記リソース共有に対応する支払い要求を開始するステップと、
前記支払い要求に対応する支払い結果を受信するステップと、
前記リソース共有メッセージ画像を送信し、前記リソース共有メッセージテキストと前記リソース共有とを前記リソース共有メッセージ画像上に表示するステップと、
をさらに実行させる、請求項11に記載の端末。
【請求項１５】
前記プロセッサが、前記命令によって実行されると、前記プロセッサに、
リソース共有メッセージを受信するステップと、
前記受信されたリソース共有メッセージに対応するリソース共有メッセージテンプレートを取得し、前記受信されたリソース共有メッセージに対応する前記リソース共有メッセージテンプレートと一致するリソース情報を取得するステップであって、前記リソース共有メッセージテンプレートがテーマ活動時間期間と一致する、ステップと、
前記リソース共有メッセージテンプレートを表示するステップと、
前記表示されたリソース共有メッセージテンプレートの動作命令を取得するステップと、
前記動作命令に従って、リソース取得者識別子を備えるリソース取得要求を生成するステップと、
前記リソース情報に従って前記リソース取得者識別子にリソースを割り振るサーバに、前記リソース取得要求を送信するステップと、
を実行させる、請求項11に記載の端末。
【請求項１６】
前記受信されたリソース共有メッセージに対応する前記リソース共有メッセージテンプレートを取得し、前記受信されたリソース共有メッセージに対応する前記リソース共有メッセージテンプレートと一致する前記リソース情報を取得するステップが、
前記受信されたリソース共有メッセージに対応するリソース共有メッセージ画像が前記端末に存在するか否かを決定するステップと、
前記受信されたリソース共有メッセージに対応する前記リソース共有メッセージ画像が前記端末に存在する場合、前記端末内の前記リソース共有メッセージに対応する前記リソース共有メッセージ画像を取得するステップであって、前記リソース共有メッセージテンプレートを表示するステップが、前記端末から取得されたローカル対応リソース共有メッセージ画像を表示するステップを備える、ステップ、または、
前記受信されたリソース共有メッセージに対応するリソース共有メッセージ画像が前記端末に存在しない場合、前記端末にデフォルトリソース共有メッセージ画像を表示し、前記リソース共有メッセージに対応する前記リソース共有メッセージ画像を前記サーバから引き出すステップであって、前記リソース共有メッセージテンプレートを表示するステップが、前記デフォルトリソース共有メッセージ画像の表示を終了するステップと、前記サーバから引き出された前記リソース共有メッセージ画像を表示するステップとを備える、ステップと、
を備える、請求項15に記載の端末。
【請求項１７】
メモリとプロセッサとを備えるサーバであって、前記メモリがコンピュータ可読命令を記憶し、前記命令が、前記プロセッサによって実行されると、前記プロセッサに、
あらかじめ構成されたリソース共有メッセージ構成ファイルを取得するステップと、
前記リソース共有メッセージ構成ファイルを受信する端末が、前記リソース共有メッセージ構成ファイルに従ってテーマ活動時間期間を取得し、前記端末が、前記テーマ活動時間期間中に、前記テーマ活動時間期間と一致するリソース共有メッセージテンプレートと、前記リソース共有メッセージテンプレートと一致するリソース情報とを取得するように、あらかじめ構成された配信時間期間内に前記リソース共有メッセージ構成ファイルを配信するステップと、
前記リソース共有メッセージテンプレートおよび前記リソース情報に従って生成され、前記端末によって送信されたリソース共有メッセージを受信するステップであって、前記リソース共有メッセージがリソースを取得するためのデータを備える、ステップと、
前記リソース共有メッセージを共有するステップと、
を実行させる、サーバ。
【請求項１８】
前記あらかじめ構成された配信時間期間内に前記リソース共有メッセージ構成ファイルを配信するステップが、
配信ポリシーに従って前記あらかじめ構成された配信時間期間内に前記リソース共有メッセージ構成ファイルを配信するステップを含み、前記配信ポリシーが、配信対象のユーザ、端末オペレーティングシステムのタイプ、および配信対象領域のうちの少なくとも1つを備える、請求項17に記載のサーバ。
【請求項１９】
前記リソース共有メッセージテンプレートがリソース共有メッセージ画像とリソース共有メッセージテキストとを備え、前記リソース情報がリソース共有を備え、前記コンピュータ可読命令が、1つまたは複数のプロセッサによって実行されると、前記プロセッサに、
前記端末によって開始され、前記リソース共有に対応する支払い要求を受信するステップと、
前記端末が、前記リソース共有メッセージ画像を送信し、前記リソース共有メッセージテキストと前記リソース共有とを前記リソース共有メッセージ画像に表示するように、前記支払い要求に応じて支払い動作を実行し、支払い結果を前記端末にフィードバックするステップと
をさらに実行させる、請求項17に記載のサーバ。
【請求項２０】
前記コンピュータ可読命令が、1つまたは複数のプロセッサによって実行されると、前記1つまたは複数のプロセッサに、
前記表示されたリソース共有メッセージ画像に対する動作に応答して、前記端末によって送信されたリソース取得要求を受信するステップであって、前記リソース取得要求が、リソース取得者識別子を備える、ステップと、
前記リソース共有に従って前記リソース取得者識別子にリソースを割り振るステップと
をさらに実行させる、請求項19に記載のサーバ。
【発明の詳細な説明】
【技術分野】
【０００１】
関連出願
本出願は、2016年1月28日に中国特許庁に提出された「RESOURCE SHARING METHOD, SYSTEM, AND RESOURCE OBTAINING METHOD」と題する中国特許出願第201610059620.1号に対する優先権を主張し、その全体が参照により本明細書に組み込まれる。
【０００２】
本出願は、ネットワーク技術の分野に関し、具体的には、リソース共有方法、リソース取得方法、端末、およびサーバに関する。
【背景技術】
【０００３】
リソースは、仮想オブジェクトと物理オブジェクトとを含み、仮想オブジェクトは、たとえば、アカウント数値、ポイント、または電子バウチャーである。リソースの所有者は、ソーシャルネットワークを使用することによってリソースを共有し得、許可を有するユーザは共有されたリソースを取得することができる。ソーシャルネットワーク上でリソースを共有することで、既存の関係チェーンを維持し、新しいソーシャルネットワーキング関係チェーンを確立するために、ユーザ間の相互作用を増やすことができる。
【０００４】
しかしながら、現在のリソースの所有者がリソースを共有する場合、生成されるリソース共有メッセージの内容は同一であり、識別することは困難である。さらに、リソース共有メッセージは、リソース取得アクションをトリガする機能のみを有するが、より有用な情報を伝達することはできない。
【発明の概要】
【課題を解決するための手段】
【０００５】
本出願の様々な実施形態によれば、リソース共有方法、リソース取得方法、端末、およびサーバが提供される。
【０００６】
リソース共有方法は、
あらかじめ構成された配信時間期間内に配信されるリソース共有メッセージ構成ファイルを受信するステップと、
リソース共有メッセージ構成ファイルに従ってテーマ活動時間期間を取得するステップと、
テーマ活動時間期間中にリソース共有メッセージ構成ポータルを表示するステップと、
リソース共有メッセージ構成ポータル上の動作を検出し、リソース共有メッセージ構成ページに入るステップと、
リソース共有メッセージ構成ページ上で実行される構成に従って、テーマ活動時間期間と一致するリソース共有メッセージテンプレートと、リソース共有メッセージテンプレートと一致するリソース情報とを取得するステップと、
取得されたリソース共有メッセージテンプレートおよびリソース情報に従ってリソース共有メッセージを生成するステップであって、リソース共有メッセージがリソースを取得するためのデータを含む、ステップと、
リソース共有メッセージを共有するステップと
を含む。
【０００７】
リソース共有方法は、
あらかじめ構成されたリソース共有メッセージ構成ファイルを取得するステップと、
リソース共有メッセージ構成ファイルを受信する端末が、リソース共有メッセージ構成ファイルに従ってテーマ活動時間期間を取得し、端末が、テーマ活動時間期間中に、テーマ活動時間期間と一致するリソース共有メッセージテンプレートと、リソース共有メッセージテンプレートと一致するリソース情報とを取得するように、あらかじめ構成された配信時間期間内にリソース共有メッセージ構成ファイルを配信するステップと、
リソース共有メッセージテンプレートおよびリソース情報に従って生成され、端末によって送信されたリソース共有メッセージを受信するステップであって、リソース共有メッセージがリソースを取得するためのデータを含む、ステップと、
リソース共有メッセージを共有するステップと
を含む。
【０００８】
リソース共有方法は、
リソース共有メッセージを受信するステップと、
リソース共有メッセージに対応するリソース共有メッセージテンプレートと、リソース共有メッセージテンプレートと一致するリソース情報とを取得するステップであって、リソース共有メッセージテンプレートがテーマ活動時間期間と一致する、ステップと、
リソース共有メッセージテンプレートを表示するステップと、
表示されたリソース共有メッセージテンプレートの動作命令を取得するステップと、
動作命令に従って、リソース取得者識別子を含むリソース取得要求を生成するステップと、
サーバが、リソース情報に従ってリソース取得者識別子にリソースを割り振るように、リソース取得要求をサーバに送信するステップと、
を含む。
【０００９】
メモリとプロセッサとを含む端末であって、メモリがコンピュータ可読命令を記憶し、命令が、プロセッサによって実行されると、プロセッサに、以下のステップを実行させる:
あらかじめ構成された配信時間期間内に配信されるリソース共有メッセージ構成ファイルを受信するステップと、
リソース共有メッセージ構成ファイルに従ってテーマ活動時間期間を取得するステップと、
テーマ活動時間期間中にリソース共有メッセージ構成ポータルを表示するステップと、
リソース共有メッセージ構成ポータル上の動作を検出し、リソース共有メッセージ構成ページに入るステップと、
リソース共有メッセージ構成ページ上で実行される構成に従って、テーマ活動時間期間と一致するリソース共有メッセージテンプレートと、リソース共有メッセージテンプレートと一致するリソース情報とを取得するステップと、
取得されたリソース共有メッセージテンプレートおよびリソース情報に従ってリソース共有メッセージを生成するステップであって、リソース共有メッセージがリソースを取得するためのデータを含む、ステップと、
リソース共有メッセージを共有するステップ。
【００１０】
メモリとプロセッサとを含むサーバであって、メモリがコンピュータ可読命令を記憶し、命令が、プロセッサによって実行されると、プロセッサに、以下のステップを実行させる:
あらかじめ構成されたリソース共有メッセージ構成ファイルを取得するステップと、
リソース共有メッセージ構成ファイルを受信する端末が、リソース共有メッセージ構成ファイルに従ってテーマ活動時間期間を取得し、端末が、テーマ活動時間期間中に、テーマ活動時間期間と一致するリソース共有メッセージテンプレートと、リソース共有メッセージテンプレートと一致するリソース情報とを取得するように、あらかじめ構成された配信時間期間内にリソース共有メッセージ構成ファイルを配信するステップと、
リソース共有メッセージテンプレートおよびリソース情報に従って生成され、端末によって送信されたリソース共有メッセージを受信するステップであって、リソース共有メッセージがリソースを取得するためのデータを含む、ステップと、
リソース共有メッセージを共有するステップ。
【００１１】
本出願の1つまたは複数の実施形態の詳細は、以下の添付の図面および説明において提供される。本開示の他の特徴、目的、および利点は、本明細書、添付の図面、および特許請求の範囲において明らかである。
【００１２】
本発明の実施形態または従来技術による技術的解決策をより明確に説明するために、実施形態または従来技術を説明するための添付の図面を以下に簡単に紹介する。当然のことながら、以下に記載される図面は本発明の一部の実施形態に過ぎず、当業者は創造的努力なしに、添付の図面に従って他の図面を得ることができる。
【図面の簡単な説明】
【００１３】
【図１】一実施形態による、リソース共有システムのアプリケーション環境の概略図である。
【図２】一実施形態による、リソース共有方法およびリソース取得方法を実装するための端末の概略構成図である。
【図３】一実施形態による、サーバの概略構成図である。
【図４】一実施形態による、リソース共有方法の概略フローチャートである。
【図５】一実施形態による、セッションページの概略図である。
【図６】一実施形態による、リソース共有メッセージ構成ページ1を示す図である。
【図７】一実施形態による、リソース共有メッセージ構成ページ2を示す図である。
【図８】一実施形態による、リソース共有メッセージ構成ページ3を示す図である。
【図９】一実施形態による、リソース共有メッセージ構成ページ4を示す図である。
【図１０】一実施形態による、リソース共有メッセージ構成ページ上で実行される構成に従って、テーマ活動時間期間と一致するリソース共有メッセージテンプレートと、リソース共有メッセージテンプレートと一致するリソース情報とを取得するステップを示す図である。
【図１１】一実施形態による、支払いによってリソース共有を取得するステップの概略フローチャートである。
【図１２】一実施形態による、支払いページの概略図である。
【図１３】一実施形態による、リソースを取得するステップの概略フローチャートである。
【図１４】一実施形態による、セッションページ上にリソース共有メッセージ画像を表示する概略図である。
【図１５】一実施形態による、結果表示ページ上にリソース取得結果を表示する概略図である。
【図１６】別の実施形態による、リソース共有方法の概略フローチャートである。
【図１７】一実施形態による、リソース取得方法の概略フローチャートである。
【発明を実施するための形態】
【００１４】
本出願の目的、技術的解決策、および利点をより明確にするために、以下で、添付の図面および実施形態を参照して、本出願をさらに詳細に説明する。本明細書に記載された特定の実施形態は、単に本出願を説明するために使用されているが、本出願を限定することが意図されるものではないことを理解されたい。
【００１５】
図1に示されるように、一実施形態では、リソース共有システムが提供され、第1の端末110、サーバ120、および第2の端末130を含む。サーバ120は、独立した物理サーバであってもよく、物理サーバクラスタであってもよい。サーバ120は、コンテンツ配信ネットワーク(CDN)サーバを含み得る。
【００１６】
図2に示されるように、一実施形態では、リソース共有方法またはリソース取得方法を実装するための端末が提供され、第1の端末110または第2の端末130であり得る。サーバは、バスを使用することによって接続されたプロセッサ、不揮発性記憶媒体、メモリ、ネットワークインターフェース、およびタッチスクリーンを含む。プロセッサは、演算機能と端末110の動作を制御する機能とを有し、プロセッサは、リソース共有方法またはリソース取得方法を実行するように構成される。不揮発性記憶媒体は、磁気記憶媒体、光記憶媒体、およびフラッシュ記憶媒体のうちの少なくとも1つを含み、不揮発性記憶媒体はオペレーティングシステムを記憶する。ネットワークインターフェースは、サーバ120に接続するように構成される。タッチスクリーンは、タッチ層およびディスプレイを含み、ディスプレイは、液晶ディスプレイ、フレキシブルディスプレイ、および電子インクディスプレイを含む。端末は、モバイル端末、デスクトップコンピュータなどを含む。モバイル端末は、モバイル電話、タブレットコンピュータ、スマートウォッチ、携帯情報端末(PDA)、およびネットワークに接続され得る電子リーダのうちの少なくとも1つを含む。
【００１７】
図3に示されるように、一実施形態では、サーバ120が提供され、プロセッサ、不揮発性記憶媒体、メモリ、およびネットワークインターフェースを含む。プロセッサはリソース共有方法を実行するように構成され、不揮発性記憶媒体はオペレーティングシステムを記憶する。ネットワークインターフェースは、第1の端末110と第2の端末130とに接続するために使用される。
【００１８】
図4に示されるように、一実施形態では、リソース共有方法が提供される。本実施形態は、本方法が図1に示される第1の端末110に適用される例を使用することによって説明される。本方法は、具体的には以下のステップを含む。
【００１９】
ステップ402。あらかじめ構成された配信時間期間内に配信されるリソース共有メッセージ構成ファイルを受信する。
【００２０】
具体的には、リソース共有メッセージ構成ファイルは、リソース共有メッセージを生成するために使用される構成パラメータを記録するファイルであり、テーマ名、テーマ識別子、テーマ活動開始時刻、テーマ活動終了時刻、リソース共有メッセージ画像のリンクアドレス、リソース共有メッセージテキスト、およびリソース情報のうちの1つ、またはそれらの組合せを含み得る。テーマ識別子はテーマ名とは異なる。
【００２１】
サーバは、動作構成ページを提供し、動作構成ページ上の構成項目内の構成動作に従って構成パラメータを取得し、構成パラメータに従ってリソース共有メッセージ構成ファイルを生成し、配信時間期間を取得し、構成された配信時間期間にリソース共有メッセージ構成ファイルを配信し得る。配信時間期間は、配信開始時刻および配信終了時刻によって表され得る。
【００２２】
リソースは、ネットワークを使用することによって所有権が得られ得るオブジェクトであり、仮想オブジェクトと物理オブジェクトのうちの少なくとも1つを含む。仮想オブジェクトは、口座価値、仮想画像商品、仮想プリペイドカード、ゲーム機器、および仮想通貨のうちの少なくとも1つを含む。物理オブジェクトは、ユーザによって任意に所有され得、実際の形態を有するオブジェクトであり得、たとえば、電子製品、おもちゃ、人工物、および署名された写真である。
【００２３】
ステップ404。リソース共有メッセージ構成ファイルに従ってテーマ活動時間期間を取得する。
【００２４】
具体的には、テーマ活動時間期間は、本出願の本実施形態において提供されるリソース共有方法を使用することによって生成され、指定されたテーマセマンティクスを有する、リソース共有メッセージの時間期間である。テーマ活動時間期間は、テーマ活動開始時刻およびテーマ活動終了時刻を使用することによって表され得る。第1の端末は、リソース共有メッセージ構成ファイルからテーマ活動時間期間を直接読み出してもよく、またはリソース共有メッセージ構成ファイル内のリンクアドレスに従って、テーマ活動時間期間をサーバから引き出してもよい。
【００２５】
ステップ406。テーマ活動時間期間中にリソース共有メッセージ構成ポータルを表示する。
【００２６】
具体的には、第1の端末は、現在の時刻がテーマ活動開始時刻以上である場合にはリソース共有メッセージ構成ポータルを表示し得、現在の時刻がテーマ活動終了時刻以上である場合にはリソース共有メッセージ構成ポータルの表示を終了する。リソース共有メッセージ構成ポータルは、リソース共有メッセージ上で必要な構成を完了するために、リソース共有メッセージ構成ページに入るためにトリガするために使用される。リソース共有メッセージ構成ポータルは、アイコン、ハイパーリンク、またはボタンの形態で表され得る。たとえば、第1の端末は、図5に示されるセッションページにセッションツールバーを表示し、セッションツールバーにリソース共有メッセージ構成ポータル501を表示し得る。
【００２７】
ステップ408。リソース共有メッセージ構成ポータル上の動作を検出し、リソース共有メッセージ構成ページに入る。
【００２８】
具体的には、第1の端末は、リソース共有メッセージ構成ポータル上で動作するあらかじめ定義された動作を検出し、あらかじめ定義された動作を検出した場合、リソース共有メッセージ構成ページに入る。リソース共有メッセージ構成ページは、フローティング層またはウィンドウの形態であり得る。あらかじめ定義された動作は、たとえば、ワンタップ動作、ダブルタップ動作、スライド動作、またはマルチタッチ動作である。
【００２９】
ステップ410。リソース共有メッセージ構成ページ上で実行される構成に従って、テーマ活動時間期間と一致するリソース共有メッセージテンプレートと、リソース共有メッセージテンプレートと一致するリソース情報とを取得する。
【００３０】
具体的には、リソース共有メッセージ構成ページは、ユーザが構成を実行するための1つまたは複数の構成項目を提供し得る。構成が完了されると、指定されたテーマセマンティクスを有するリソース共有メッセージテンプレートと、リソース共有メッセージテンプレートとのマッピング関係を有するリソース情報とが取得される。
【００３１】
リソース共有メッセージテンプレートは、リソース共有メッセージが表示されるときに表示される必要がある情報を参照し、リソース共有メッセージ画像とリソース共有メッセージテキストとを含み得る。リソース共有メッセージ画像は、リソース共有メッセージが表示されるときに表示される画像であり、リソース共有メッセージテキストは、リソース共有メッセージが表示されるときに表示される祝福する言葉などのテキストである。リソース情報は、リソース共有メッセージに対応するリソースに関する情報であり、共有されるべき通貨価値などのリソース共有を含み、リソース情報は、リソースタイプをさらに含み得る。
【００３２】
リソース共有メッセージテンプレートが指定されたテーマセマンティクスを有することは、人がリソース共有メッセージによって伝達されるテーマアイデアを取得し得るように、リソース共有メッセージテンプレートが、画像および/または語句の形態で指定されたテーマアイデアを伝達することを意味する。リソース情報は、共有されるべきリソースの構成が迅速に完了され得るようにリソース共有メッセージテンプレートとのマッピング関係を有するので、ユーザは、リソース情報を文字単位で入力する必要がない。
【００３３】
たとえば、図6を参照すると、リソース共有メッセージテンプレートは、リソース共有メッセージ画像601とリソース共有メッセージテキスト602とを含む。リソース共有メッセージ画像601は、魚の画像を含む。中国語では、魚の異形同音異義語は「残っている」という意味を示す。本明細書では、魚は異形同音異義語の意味を表すために使用され、人生が豊かであり、必要以上に富と食糧が豊富であるという良い希望を示す。これは、中国の旧正月を祝うための伝統的なテーマアイデアであり、新年の祝福を表現するテーマセマンティクスを有する。リソース共有メッセージテキスト602は、新年の祝福のテーマセマンティクスを言葉で表現する。リソース共有メッセージ画像601によって表現されるテーマセマンティクスは、リソース共有メッセージテキスト602によって表現されるテーマセマンティクスと同じである。
【００３４】
図7を参照すると、リソース共有メッセージテンプレートは、リソース共有メッセージ画像701とリソース共有メッセージテキスト702とを含む。リソース共有メッセージ画像701は、元宵節(Lantern Festival)の祝福のテーマセマンティクスを画像におけるボウル内の食べ物によって表現し、リソース共有メッセージテキスト702は、元宵節の祝福のテーマセマンティクスを言葉で表現する。元宵節は中国の伝統的な祭りで、中国の旧正月の15日になる。
【００３５】
図8を参照すると、リソース共有メッセージテンプレートは、リソース共有メッセージ画像801とリソース共有メッセージテキスト802とを含む。リソース共有メッセージ画像801は、バレンタインデーの祝福のテーマセマンティクスを画像における愛を象徴するハートの形と薔薇によって表現し、リソース共有メッセージテキスト802は愛に関するテーマセマンティクスを言葉で表現する。
【００３６】
図9を参照すると、リソース共有メッセージテンプレートは、リソース共有メッセージ画像901とリソース共有メッセージテキスト902とを含む。リソース共有メッセージ画像901は、新年の祝福のテーマセマンティクスを、画像におけるカレンダーとランタンによって表現し、リソース共有メッセージテキスト902は新年の祝福のテーマセマンティクスを言葉で表現する。
【００３７】
ステップ412。取得されたリソース共有メッセージテンプレートおよびリソース情報に従ってリソース共有メッセージを生成し、リソース共有メッセージはリソースを取得するためのデータを含む。
【００３８】
リソース共有メッセージは、リソースを取得するアクションをトリガするために使用される。第1の端末は、生成されたリソース共有メッセージが、リソース情報に対応するリソースを取得して、リソース共有メッセージテンプレートを表示する機能を有するように、取得されたリソース共有メッセージテンプレートおよびリソース情報に従ってリソース共有メッセージを生成し得る。
【００３９】
具体的には、生成されたリソース共有メッセージは、第1の端末がリソース共有メッセージ内のリンクアドレスに従ってリソース共有メッセージ画像を取得して表示し得るように、リソース共有メッセージ画像のリンクアドレスを含み得る。第1の端末が、リソース共有メッセージ内にリソース共有メッセージテキストを表示し得るように、生成されたリソース共有メッセージはリソース共有メッセージテキストを含み得る。第1の端末が、テーマ識別子に従って対応するリソース共有メッセージ画像およびリソース共有メッセージテキストを取得して表示し得るように、生成されたリソース共有メッセージはテーマ識別子をさらに含み得る。第1の端末がデータに従ってリソースを取得し得るように、生成されたリソース共有メッセージはリソースを取得するためのデータを含み得る。
【００４０】
リソースを取得するために必要なデータは、共有されるべきリソースを取得するために必要なデータであり、共有されるべきリソースを一意に識別するために使用されるリソース識別子を含んでもよく、またはリソース共有メッセージを開始するユーザを識別するために使用されるユーザ識別子を含んでもよく、またリソース共有メッセージの有効期間に関する情報をさらに含み得る。
【００４１】
第1の端末は、ソーシャルネットワーキングアプリケーションのソーシャルネットワーク伝播ページ上にリソース共有メッセージテンプレートを表示し得る。具体的には、第1の端末は、ソーシャルネットワーク伝播ページ上にリソース共有メッセージ画像を描画して表示し、リソース共有メッセージ画像の指定された領域にリソース共有メッセージテキストを表示し得る。
【００４２】
ソーシャルネットワーキングアプリケーションは、ソーシャルネットワークに基づいたネットワークソーシャルネットワーキングおよび相互作用のためのアプリケーションである。ソーシャルネットワーキングアプリケーションは、一般に、連絡先検索機能およびインスタントメッセージング機能を有し、ユーザ生成コンテンツ(UGC)共有機能およびUGCコメント機能をさらに有し得る。ソーシャルネットワーキングアプリケーションは、インスタントメッセージングアプリケーション、ソーシャルネットワークサイト(SNS)アプリケーションなどであり得る。ソーシャルネットワーク伝播ページは、ソーシャルネットワーキングアプリケーションのページであり、ソーシャルフレンドによってアクセスされ得、メッセージを伝播することができ、たとえば、セッションページ、UGC共有ページ、または一般からアクセス可能なパーソナルページである。セッションページは、1対1のセッションページとグループセッションページとを含む。
【００４３】
ステップ414。リソース共有メッセージを共有する。
【００４４】
具体的には、第1の端末は、ソーシャルネットワークを使用することによってリソース共有メッセージを伝播し得る。具体的には、第1の端末は、ソーシャルネットワークのメッセージチャネルを使用することによってリソース共有メッセージを伝播する。伝播オブジェクトは、リソース共有が現在トリガされている場合、ソーシャルネットワーク伝播ページのタイプに関連する。たとえば、ソーシャルネットワーク伝播ページが1対1のセッションページである場合、伝播オブジェクトは、現在のユーザとセッションしている別のユーザの識別子であってもよく、またはソーシャルネットワーク伝播ページがグループセッションページである場合、伝播オブジェクトは、現在のグループ内の現在のユーザ識別子を除くすべてのグループメンバであってもよい。
【００４５】
リソース共有方法によれば、あらかじめ構成された配信時間期間内に配信されるリソース共有メッセージ構成ファイルが受信され、サーバは、リソース共有メッセージを生成するために使用されるリソース共有メッセージ構成ファイルの配信時間期間を柔軟に制御することができる。テーマ活動時間期間を使用することによってリソース共有メッセージ構成ポータルの表示が制御され得、テーマ活動時間期間内に生成されたリソース共有メッセージが正確かつ柔軟に制御され得るように、テーマ活動時間期間はリソース共有メッセージ構成ファイルに従って取得される。リソース共有メッセージは、テーマ活動時間期間および対応するリソース情報と一致するリソース共有メッセージテンプレートに従って生成される。したがって、リソースを取得するためのデータを含むリソース共有メッセージが共有され、メッセージ受信者は、より多くの有益な情報が伝達されるように、リソース共有メッセージを使用することによってリソースを取得しながら、リソース共有者によって送信されたテーマ活動時間期間と一致するセマンティクスを取得することができる。
【００４６】
一実施形態では、ステップ402は、具体的には、対応する配信ポリシーに従ってあらかじめ構成された配信時間期間内に配信されるリソース共有メッセージ構成ファイルを受信するステップを含み、配信ポリシーは、配信対象のユーザ、端末オペレーティングシステムのタイプ、および配信対象領域のうちの少なくとも1つを含む。
【００４７】
具体的には、サーバが、配信ポリシーに従ってリソース共有メッセージ構成ファイルを第1の端末に配信するように、サーバは、動作構成ページを提供し、動作構成ページ上の構成項目内の構成動作に従って構成パラメータを取得し、構成パラメータに従ってリソース共有メッセージ構成ファイルおよび配信ポリシーを生成し得る。サーバがあらかじめ構成された配信ポリシーに従ってリソース共有メッセージ構成ファイルを配信することは、具体的には、サーバが配信時間期間内に配信対象のユーザ、端末オペレーティングシステムのタイプ、および配信対象領域のうちの少なくとも1つに従ってリソース共有メッセージ構成ファイルを配信することを意味する。
【００４８】
配信ポリシーは、配信対象のユーザ、端末オペレーティングシステムのタイプ、および配信対象領域のうちの少なくとも1つを含む。配信対象のユーザは、対象のユーザ識別子、または配信対象のユーザ属性で表され得る。端末オペレーティングシステムのタイプは、たとえば、iOSオペレーティングシステムまたはAndroidオペレーティングシステムである。配達対象領域は、地理的要因または管理上の要因に従って分割され得る。
【００４９】
本実施形態では、あらかじめ構成された配信ポリシーにより、サーバによって端末にリソース共有メッセージ構成ファイルを配信するポリシーが柔軟に制御され得、本出願の本実施形態で提供されるリソース共有方法を使用することによって、リソース割振りのためのユーザグループが自由に選択され得る。
【００５０】
図10に示されるように、一実施形態では、ステップ410は、以下のステップを含む。
【００５１】
ステップ1002。リソース共有メッセージ構成ファイルに従って、テーマ活動時間期間と一致する候補リソース共有メッセージテンプレートと、候補リソース情報とを、リソース共有メッセージ構成ページ上に表示する。
【００５２】
具体的には、第1の端末は、リソース共有メッセージ構成ファイルに従って取得し、指定されたテーマセマンティクスを有する候補リソース共有メッセージテンプレートを表示し、リソース共有メッセージテンプレートと一致する候補リソース情報を取得して表示する。第1の端末が、リソース共有メッセージ構成ファイルに従って、指定されたテーマセマンティクスを有する候補リソース共有メッセージテンプレートを取得すると、第1の端末は、リソース共有メッセージ構成ファイル内の画像リンクに従ってサーバからリソース共有メッセージ画像を特にダウンロードしてもよく、またはリソース共有メッセージ構成ファイルからリソース共有メッセージ画像を直接読み取ってもよく、第1の端末は、リソース共有メッセージ構成ファイルからリソース共有メッセージテキストを直接読み取ることができる。たとえば、図8を参照すると、第1の端末は、リソース共有メッセージ構成ページ803にリソース共有メッセージ画像801とリソース共有メッセージテキスト802と表示し得る。
【００５３】
ステップ1004。切替え命令を受信し、表示されたリソース共有メッセージテンプレートおよび/または表示されたリソース情報を切り替え、切替え後の表示されたリソース共有メッセージテンプレートが切替え後の表示されたリソース情報と一致する。
【００５４】
具体的には、第1の端末は、切替え命令をトリガするように構成された切替え制御を表示し、切替え制御上のあらかじめ定義された動作を検出すると切替え命令をトリガし得る。切替え命令が受信された後、表示されたリソース共有メッセージテンプレートと表示されたリソース情報とのうちの少なくとも1つが切替え命令に従って切り替えられる。図6では、リソース共有切替え方式が使用される。切替えが実行された後、表示されたリソース共有メッセージテンプレートは依然として指定されたテーマセマンティクスを有し、表示されたリソース情報および表示されたリソース共有メッセージテンプレートは依然としてマッピング関係を有する。表示されたリソース共有メッセージテンプレートおよびリソース情報は、セットである。
【００５５】
たとえば、図8を参照すると、第1の端末は、切替え制御804を表示し、ユーザは、切替え命令をトリガするために切替え制御804をタップし、第1の端末は、切替え命令に従って、「1314」または「520.00」と同じ指定されたセマンティクスを有するリソース共有などの、別のリソース共有に切り替える。中国語では、「1314」は、生涯を表現するイディオムと同様に発音し、生涯の愛の良い希望を表現するために使用され、また中国語では、「520」は「私はあなたを愛しています」と同様に発音し、恋人によって愛を表現するために使用される。
【００５６】
ステップ1006。肯定応答命令を受信し、肯定応答命令に従って現在表示されているリソース共有メッセージテンプレートとリソース情報とを取得する。
【００５７】
具体的には、第1の端末は、肯定応答命令をトリガするように構成された確認制御を表示し、確認制御上であらかじめ定義された動作を検出した後に肯定応答命令をトリガし、タッチ制御命令に従って、現在表示されているリソース共有メッセージテンプレートと現在表示されているリソース情報とを取得し得る。取得されたリソース共有メッセージテンプレートおよびリソース情報は、リソース共有メッセージを生成するために使用される。
【００５８】
本実施形態では、指定されたテーマセマンティクスを有する候補リソース共有メッセージテンプレートと、候補リソース共有メッセージテンプレートと一致する候補リソース情報とが提供され、切替え命令に従って切替えが実行され、最終的に選択されたリソース共有メッセージテンプレートおよび最終的に選択されたリソース情報が、肯定応答命令に従って確認される。ユーザは、ある程度、彼が望むような選択を行う能力に恵まれていてよく、ユーザはより多くの動作を実行する必要はなく、リソース共有メッセージの多様性および動作の便宜性も考慮され得る。
【００５９】
一実施形態では、リソース共有メッセージテンプレートは、リソース共有メッセージ画像とリソース共有メッセージテキストとを含み、リソース情報はリソース共有を含む。本方法は、支払いによってリソース共有を取得するステップをさらに含む。図11を参照すると、本方法は、具体的には以下のステップを含む。
【００６０】
ステップ1102。リソース共有に対応する支払い要求を開始する。
【００６１】
ステップ1104。支払い要求に対応する支払い結果を受信する。
【００６２】
第1の端末は、図12に示される支払いページに入ることができ、支払いに必要なデータに従って支払い要求を生成し、サーバまたは第三者支払いプラットフォームに支払い要求を送信するために、支払いに必要なデータを取得する。サーバまたは第三者支払いプラットフォームは、支払い要求を処理し、支払い結果を第1の端末に返す。
【００６３】
具体的には、第1の端末は、リソース共有に対応する支払人口座識別子と支払額とを取得し、支払人口座識別子および支払額を伝える支払い要求を生成し、支払い要求をサーバまたは第三者支払いプラットフォームに送信し得る。サーバまたは第三者支払いプラットフォームは、支払い要求に応じて、支払人口座識別子に対応する支払い口座から支払額を差し引き、あらかじめ構成された受取人口座に支払額を加算して支払いを完了し、支払いが成功したことを示す結果を第1の端末に返す。
【００６４】
ステップ1106。リソース共有メッセージ画像を送信し、リソース共有メッセージテキストとリソース共有とをリソース共有メッセージ画像上に表示する。
【００６５】
具体的には、支払いが成功したことを示す結果を受信した後、第1の端末は、リソース共有メッセージ画像を送信し、具体的にはサーバを使用することによって第2の端末にリソース共有メッセージ画像を送信し得る。第1の端末および第2の端末は、リソース共有メッセージ画像の指定された領域にリソース共有メッセージテキストとリソース共有とを表示し得、第1の端末は依然としてステップ412を実行する。支払いが失敗したことを示す結果を受信した後、第1の端末は、支払いが失敗したことをユーザに促し、ユーザに支払いを再実行するように案内する。
【００６６】
本実施形態では、支払い要求が開始され、支払いが成功したことを示す結果が受信された後、リソース共有メッセージ画像、リソース共有メッセージテキスト、およびリソース共有がソーシャルネットワーク伝播ページ上に表示され、メッセージ受信側におけるリソース共有メッセージの表示効果が視覚的に表示され得る。
【００６７】
図13に示されるように、一実施形態では、リソース共有方法はリソースを取得するステップをさらに含み、具体的には以下のステップを含む。
【００６８】
ステップ1302。表示されたリソース共有メッセージ画像の動作命令を取得する。
【００６９】
具体的には、第1の端末は、表示されたリソース共有メッセージ画像上のあらかじめ定義された動作を検出し、あらかじめ定義された動作を検出した場合、対応する動作命令をトリガする。
【００７０】
ステップ1304。動作命令に従って、リソース取得者識別子を含むリソース取得要求を生成する。
【００７１】
具体的には、動作命令を取得した後、第1の端末は、リソース取得者識別子を伝えるリソース取得要求を生成するために、リソース取得者識別子として、ソーシャルネットワーキングアプリケーションに現在ログインしているユーザ識別子を取得し、リソースを取得するために使用され、リソース共有メッセージ内にあるリソース識別子などのデータを取得し得る。リソース取得者識別子は、リソースを取得することを要求する当事者の一意の識別子である。
【００７２】
ステップ1306。サーバが、リソース共有に従ってリソース取得者識別子にリソースを割り振るように、リソース取得要求をサーバに送信する。
【００７３】
具体的には、第1の端末は、リソース取得要求をサーバに送信し、サーバは、リソース識別子に対応するリソースをリソース取得者識別子に割り振るために、リソース取得要求に応じてリソース識別子とリソース取得者識別子とを取得する。リソース取得要求を受信した後、サーバは、リソース識別子に対応するリソースに残りの共有があるかどうかを決定し、残りの共有がある場合には残りのリソースからリソースをリソース取得者識別子に割り振り、対応する共有を減少させ、リソースが正常に取得されたことを示すリソース取得結果を第1の端末にフィードバックし、または、残りの共有がない場合、そのリソースが正常に取得されなかったことを示すリソース取得結果を第1の端末に直接フィードバックする。
【００７４】
サーバがリソースを割り振るとき、リソースが仮想のご祝儀(red packet)やプリペイドカードの値などの値に応じて割り振られるべきリソースである場合、サーバがリソースをリソース取得者識別子に割り振るとき、サーバは、あらかじめ設定された値の範囲からランダムに、またはあらかじめ設定された固定値に従って値を選択し、その値をリソース取得者識別子に対応する値口座に転送し得る。値口座は現金口座またはバウチャー口座を含み、値口座は銀行サーバまたは第三者支払いサーバに設定され得る。リソースが物理オブジェクトのような登録後に取得され得るリソースである場合、サーバがリソース取得者識別子にリソースを割り振るとき、サーバは、リソースはその後他の形態でプロビジョニングされるようにリソース上の対応するユーザの所有権を表すために、リソースとリソース取得者識別子との間の対応関係を記録し得る。
【００７５】
たとえば、図14を参照すると、第1の端末はセッションページ上にリソース共有メッセージ画像1401を表示し得、ユーザは、リソース取得要求をトリガしてリソース取得要求をサーバに送信するように、リソース共有メッセージ画像1401をタップすることによって動作命令をトリガし得る。サーバは、リソース取得要求に応じてリソースを取得する。サーバによってフィードバックされたリソース取得結果を受信した後、第1の端末は、図15に示される結果表示ページ1501を表示し、結果表示ページ上にリソース取得結果1502を表示し得る。
【００７６】
本実施形態では、リソース共有メッセージ画像の動作命令により、リソースが便利に共有されるように、リソースを取得するアクションがトリガされて完了され得る。
【００７７】
図16に示されるように、一実施形態では、別のリソース共有方法が提供される。本実施形態は、図1のサーバ120に本方法が適用される例を使用することによって説明される。本実施形態におけるリソース共有メッセージ構成ファイルを受信する端末は、上述の実施形態における第1の端末110であり、本実施形態は、上述の様々な実施形態のリソース共有方法において第1の端末によって実行される様々なステップをさらに含み得る。本実施形態のリソース共有方法は、具体的には以下のステップを含む。
【００７８】
ステップ1602。あらかじめ構成されたリソース共有メッセージ構成ファイルを取得する。
【００７９】
ステップ1604。リソース共有メッセージ構成ファイルを受信する端末が、リソース共有メッセージ構成ファイルに従ってテーマ活動時間期間を取得し、端末が、テーマ活動時間期間中に、テーマ活動時間期間と一致するリソース共有メッセージテンプレートと、リソース共有メッセージテンプレートと一致するリソース情報とを取得するように、あらかじめ構成された配信時間期間内にリソース共有メッセージ構成ファイルを配信する。
【００８０】
ステップ1606。リソース共有メッセージテンプレートおよびリソース情報に従って生成され、端末によって送信されたリソース共有メッセージを受信し、リソース共有メッセージはリソースを取得するためのデータを含む。
【００８１】
ステップ1608。リソース共有メッセージを共有する。
【００８２】
一実施形態では、あらかじめ構成された配信時間期間内にリソース共有メッセージ構成ファイルを配信するステップは、対応する配信ポリシーに従ってあらかじめ構成された配信時間期間内にリソース共有メッセージ構成ファイルを配信するステップを含み、配信ポリシーは、配信対象のユーザ、端末オペレーティングシステムのタイプ、および配信対象領域のうちの少なくとも1つを含む。
【００８３】
一実施形態では、リソース共有メッセージテンプレートは、リソース共有メッセージ画像とリソース共有メッセージテキストとを含み、リソース情報はリソース共有を含み、リソース共有方法は、端末によって開始され、リソース共有に対応する支払い要求を受信するステップと、端末が、リソース共有メッセージ画像を送信し、リソース共有メッセージテキストとリソース共有とをリソース共有メッセージ画像に表示するように、支払い要求に応じて支払い動作を実行し、支払い結果を端末にフィードバックするステップとをさらに含む。
【００８４】
一実施形態では、リソース共有方法は、リソース取得者識別子を含み、端末が表示されたリソース共有メッセージ画像に対して動作を実行した後にトリガされるリソース取得要求を受信するステップと、リソース共有に従ってリソース取得者識別子にリソースを割り振るステップとをさらに含む。
【００８５】
リソース共有方法によれば、あらかじめ構成された配信時間期間内にリソース共有メッセージ構成ファイルが配信され、リソース共有メッセージを生成するために使用されるリソース共有メッセージ構成ファイルの配信時間期間は柔軟に制御され得る。端末は、テーマ活動時間期間を使用することによって、テーマ活動時間期間に生成されたリソース共有メッセージを制御するために、リソース共有メッセージ構成ファイルに従ってテーマ活動時間期間を取得する。リソース共有メッセージは、テーマ活動時間期間および対応するリソース情報と一致するリソース共有メッセージテンプレートに従って生成される。したがって、リソースを取得するためのデータを含むリソース共有メッセージが共有され、メッセージ受信者は、より多くの有益な情報が伝達されるように、リソース共有メッセージを使用することによってリソースを取得し、リソース共有者によって送信されたテーマ活動時間期間と一致するセマンティクスを取得することができる。
【００８６】
図17に示されるように、一実施形態では、リソース取得方法が提供される。本実施形態は、本方法が図1に示される第2の端末130に適用される例を使用することによって説明される。本方法は、具体的には以下のステップを含む。
【００８７】
ステップ1702。リソース共有メッセージを受信する。具体的には、第2の端末は、第1の端末がリソース共有方法を実行した後に第1の端末によって生成され共有されるリソース共有メッセージを受信する。
【００８８】
ステップ1704。リソース共有メッセージに対応するリソース共有メッセージテンプレートと、リソース共有メッセージテンプレートと一致するリソース情報とを取得し、リソース共有メッセージテンプレートはテーマ活動時間期間と一致する。
【００８９】
具体的には、リソース共有メッセージテンプレートは、リソース共有メッセージが表示されるときに表示される必要がある情報を参照し、リソース共有メッセージ画像とリソース共有メッセージテキストとを含み得る。リソース共有メッセージ画像は、リソース共有メッセージが表示されるときに表示される画像であり、リソース共有メッセージテキストは、リソース共有メッセージが表示されるときに表示される祝福する言葉などのテキストである。リソース情報は、リソース共有メッセージに対応するリソースに関する情報であり、共有されるべき通貨価値などのリソース共有を含み、リソース情報は、リソースタイプをさらに含み得る。
【００９０】
リソースは、ネットワークを使用することによって所有権が得られ得るオブジェクトであり、仮想オブジェクトと物理オブジェクトのうちの少なくとも1つを含む。仮想オブジェクトは、口座価値、仮想画像商品、仮想プリペイドカード、ゲーム機器、および仮想通貨のうちの少なくとも1つを含む。物理オブジェクトは、ユーザによって任意に所有され得、実際の形態を有するオブジェクトであり得、たとえば、電子製品、おもちゃ、人工物、および署名された写真である。
【００９１】
リソース共有メッセージテンプレートが指定されたテーマセマンティクスを有することは、人がリソース共有メッセージによって伝達されるテーマアイデアを取得し得るように、リソース共有メッセージテンプレートが、画像および/または語句の形態で指定されたテーマアイデアを伝達することを意味する。リソース情報は、共有されるべきリソースの構成が迅速に完了され得るようにリソース共有メッセージテンプレートとのマッピング関係を有するので、ユーザは、リソース情報を文字単位で入力する必要がない。
【００９２】
ステップ1706。リソース共有メッセージテンプレートを表示する。
【００９３】
具体的には、第2の端末は、リソース共有メッセージ画像を送信し、リソース共有メッセージテキストとリソース共有とをリソース共有メッセージ画像上に表示し得る。
【００９４】
ステップ1708。表示されたリソース共有メッセージテンプレートの動作命令を取得する。
【００９５】
具体的には、第2の端末は、表示されたリソース共有メッセージ画像上のあらかじめ定義された動作を検出し、あらかじめ定義された動作を検出した場合、対応する動作命令をトリガする。
【００９６】
ステップ1710。動作命令に従って、リソース取得者識別子を含むリソース取得要求を生成する。
【００９７】
具体的には、動作命令を取得した後、第2の端末は、リソース取得者識別子を伝えるリソース取得要求を生成するために、リソース取得者識別子として、ソーシャルネットワーキングアプリケーションに現在ログインしているユーザ識別子を取得し、リソースを取得するために使用され、リソース共有メッセージ内にあるリソース識別子などのデータを取得し得る。リソース取得者識別子は、リソースを取得することを要求する当事者の一意の識別子である。
【００９８】
ステップ1712。サーバが、リソース情報に従ってリソース取得者識別子にリソースを割り振るように、リソース取得要求をサーバに送信する。
【００９９】
具体的には、第2の端末は、リソース取得要求をサーバに送信し、サーバは、リソース識別子に対応するリソースをリソース取得者識別子に割り振るために、リソース取得要求に応じてリソース識別子とリソース取得者識別子とを取得する。リソース取得要求を受信した後、サーバは、リソース識別子に対応するリソースに残りの共有があるか否かを決定し、残りの共有がある場合には残りのリソースからリソースをリソース取得者識別子に割り振り、対応する共有を減少させ、リソースが正常に取得されたことを示すリソース取得結果を第2の端末にフィードバックし、または、残りの共有がない場合、そのリソースが正常に取得されなかったことを示すリソース取得結果を第2の端末に直接フィードバックする。
【０１００】
サーバがリソースを割り振るとき、リソースが仮想のご祝儀やプリペイドカードの値などの値に応じて割り振られるべきリソースである場合、サーバがリソースをリソース取得者識別子に割り振るとき、サーバは、あらかじめ設定された値の範囲からランダムに、またはあらかじめ設定された固定値に従って値を選択し、その値をリソース取得者識別子に対応する値口座に転送し得る。値口座は現金口座またはバウチャー口座を含み、値口座は銀行サーバまたは第三者支払いサーバに設定され得る。リソースが物理オブジェクトのような登録後に取得され得るリソースである場合、サーバがリソース取得者識別子にリソースを割り振るとき、サーバは、リソースはその後他の形態でプロビジョニングされるようにリソース上の対応するユーザの所有権を表すために、リソースとリソース取得者識別子との間の対応関係を記録し得る。
【０１０１】
リソース取得方法によれば、リソース共有メッセージが受信された後、リソース共有メッセージに対応するリソース共有メッセージテンプレートが表示される。リソース共有メッセージテンプレートは、テーマ活動時間期間と一致する。より多くの有益な情報が伝達されるように、リソース共有メッセージを使用することによってリソースが取得される間に、テーマ活動時間期間と一致し、リソース共有者によって送信されたセマンティクスが取得される。
【０１０２】
一実施形態では、ステップ1704は、リソース共有メッセージに対応するリソース共有メッセージ画像がローカルに存在するか否かを決定するステップと、リソース共有メッセージに対応するリソース共有メッセージ画像がローカルに存在する場合には、ローカル対応リソース共有メッセージ画像を取得するステップとを含み、ステップ1706は、ローカル対応リソース共有メッセージ画像を表示するステップ、または、リソース共有メッセージに対応するリソース共有メッセージ画像がローカルに存在しない場合、ローカルデフォルトリソース共有メッセージ画像を表示し、リソース共有メッセージに対応するリソース共有メッセージ画像をサーバから引き出すステップを含み、ステップ1706は、表示されたデフォルトリソース共有メッセージ画像を、引き出されたリソース共有メッセージ画像に更新するステップを含む。
【０１０３】
具体的には、本実施形態では、第2の端末は、まず、リソース共有メッセージに対応するリソース共有メッセージ画像がローカルに存在するか否かを決定し、リソース共有メッセージに対応するリソース共有メッセージ画像がローカルに存在する場合には、対応するリソース共有メッセージ画像を直接表示する。リソース共有メッセージに対応するリソース共有メッセージ画像が存在しない場合、ユーザがそのメッセージがリソース共有メッセージ画像であることをすぐに識別できることを確実にするために、ユーザは、まず、ローカルデフォルトリソース共有メッセージ画像を表示し、次いで、対応するリソース共有メッセージ画像をサーバから引き出し、対応するリソース共有メッセージ画像が引き出された後に更新を実行する。
【０１０４】
本実施形態によれば、リソース共有メッセージ画像の表示効率が確実にされ得、リソース共有メッセージ画像の表示の効率が向上されつつ、リソース取得効率が向上されるように、リソース取得要求をトリガするために、受信された後にリソース共有メッセージが表示される。
【０１０５】
一実施形態では、図1に示されるリソース共有システムにおいて、リソース共有システムは、第1の端末110とサーバ120とを含む。
【０１０６】
サーバ120は、あらかじめ構成された配信時間期間内にリソース共有メッセージ構成ファイルを配信するように構成される。第1の端末110は、リソース共有メッセージ構成ファイルを受信することと、リソース共有メッセージ構成ファイルに従ってテーマ活動時間期間を取得することと、テーマ活動時間期間中にリソース共有メッセージ構成ポータルを表示することと、リソース共有メッセージ構成ポータル上の動作を検出し、リソース共有メッセージ構成ページに入ることと、リソース共有メッセージ構成ページ上で実行される構成に従って、テーマ活動時間期間と一致するリソース共有メッセージテンプレートと、リソース共有メッセージテンプレートと一致するリソース情報とを取得することと、取得されたリソース共有メッセージテンプレートおよびリソース情報に従ってリソース共有メッセージを生成することであって、リソース共有メッセージがリソースを取得するためのデータを含む、ことと、リソース共有メッセージを共有することとを行うように構成される。
【０１０７】
一実施形態では、サーバ120は、対応する配信ポリシーに従ってあらかじめ構成された配信時間期間内に配信されるリソース共有メッセージ構成ファイルを受信するようにさらに構成され、配信ポリシーは、配信対象のユーザ、端末オペレーティングシステムのタイプ、および配信対象領域のうちの少なくとも1つを含む。
【０１０８】
一実施形態では、第1の端末110は、リソース共有メッセージ構成ファイルに従って、テーマ活動時間期間と一致する候補リソース共有メッセージテンプレートと、候補リソース情報とを、リソース共有メッセージ構成ページ上に表示することと、切替え命令を受信し、表示されたリソース共有メッセージテンプレートおよび/または表示されたリソース情報を切り替えることであって、切替え後の表示されたリソース共有メッセージテンプレートが切替え後の表示されたリソース情報と一致する、ことと、肯定応答命令を受信し、肯定応答命令に従って現在表示されているリソース共有メッセージテンプレートおよびリソース情報を取得することとを行うようにさらに構成される。一実施形態では、リソース共有メッセージテンプレートは、リソース共有メッセージ画像とリソース共有メッセージテキストとを含み、リソース情報はリソース共有を含む。第1の端末110は、リソース共有に対応する支払い要求を開始するようにさらに構成される。サーバ120は、支払い要求に応じて支払い動作を実行し、支払い結果を第1の端末にフィードバックするようにさらに構成される。第1の端末110は、リソース共有メッセージ画像を送信し、リソース共有メッセージテキストとリソース共有とをリソース共有メッセージ画像上に表示するようにさらに構成される。
【０１０９】
一実施形態では、リソース共有システムは、第2の端末130をさらに含み、第2の端末130は、リソース共有メッセージを受信することと、リソース共有メッセージに対応するリソース共有メッセージテンプレートと、リソース共有メッセージテンプレートと一致するリソース情報とを取得することであって、リソース共有メッセージテンプレートがテーマ活動時間期間と一致する、ことと、リソース共有メッセージテンプレートを表示することと、表示されたリソース共有メッセージテンプレートの動作命令を取得することと、動作命令に従って、リソース取得者識別子を含むリソース取得要求を生成することと、サーバ120が、リソース情報に従ってリソース取得者識別子にリソースを割り振るようにさらに構成されるように、リソース取得要求をサーバ120に送信することとを行うように構成される。
【０１１０】
一実施形態では、第2の端末130は、リソース共有メッセージに対応するリソース共有メッセージ画像がローカルに存在するか否かを決定することと、ローカル対応リソース共有メッセージ画像を取得することと、リソース共有メッセージに対応するリソース共有メッセージ画像がローカルに存在する場合には、ローカル対応リソース共有メッセージ画像を表示すること、または、ローカルデフォルトリソース共有メッセージ画像を表示し、リソース共有メッセージに対応するリソース共有メッセージ画像をサーバから引き出すことと、リソース共有メッセージに対応するリソース共有メッセージ画像がローカルに存在しない場合、表示されたデフォルトリソース共有メッセージ画像を、引き出されたリソース共有メッセージ画像に更新することとを行うようにさらに構成される。
【０１１１】
リソース共有システムによれば、あらかじめ構成された配信時間期間内に配信されるリソース共有メッセージ構成ファイルが受信され、サーバは、リソース共有メッセージを生成するために使用されるリソース共有メッセージ構成ファイルの配信時間期間を柔軟に制御することができる。テーマ活動時間期間を使用することによってリソース共有メッセージ構成ポータルの表示が制御され得、テーマ活動時間期間内に生成されたリソース共有メッセージが正確かつ柔軟に制御され得るように、テーマ活動時間期間はリソース共有メッセージ構成ファイルに従って取得される。リソース共有メッセージは、テーマ活動時間期間および対応するリソース情報と一致するリソース共有メッセージテンプレートに従って生成される。したがって、リソースを取得するためのデータを含むリソース共有メッセージが共有され、メッセージ受信者は、より多くの有益な情報が伝達されるように、リソース共有メッセージを使用することによってリソースを取得し、リソース共有者によって送信されたテーマ活動時間期間と一致するセマンティクスを取得することができる。
【０１１２】
図1を参照すると、特定のアプリケーションシナリオでは、リソース共有メッセージはご祝儀メッセージである。ご祝儀は、通貨相当額の属性を有するギフトであり、仮想のご祝儀は、電子フォーマットのご祝儀であり、コンピュータによって処理される。運用管理者は、サーバにログインし、ご祝儀メッセージのご祝儀テンプレートと、テーマ活動時間期間と、ご祝儀の額とを構成し、対応するご祝儀メッセージ構成ファイルを生成し、またサーバが構成された配信時間期間内に配信ポリシーに従ってご祝儀メッセージ構成ファイルを配信するようにそのご祝儀メッセージ構成ファイルの配信時間期間と配信ポリシーとを構成する。
【０１１３】
第1の端末は、サーバによって配信されたご祝儀メッセージ構成ファイルを受信して記憶し、ご祝儀メッセージ構成ファイルからテーマ活動時間期間を取得する。このテーマ活動時間期間において、第1の端末が図5に示されるセッションページに入ると、ツールバーが表示されているときにテーマご祝儀のトリガボタン501が追加される。テーマ活動時間期間がバレンタインデーのテーマ活動時間期間であると仮定すると、ユーザがトリガボタン501をタップした後、第1の端末は、図8に示されるバレンタインデーのテーマのご祝儀テンプレートを表示する。バレンタインデーのテーマのご祝儀テンプレートは、バレンタインデーのテーマのご祝儀メッセージテキスト、ご祝儀メッセージ画像、ご祝儀の金額を含む。ユーザが「別の金額に切り替える」をタップすると、ご祝儀の金額が変更される。切替え後に取得されたご祝儀の金額は、依然としてバレンタインデーのテーマと一致する。ユーザは、ご祝儀を送信することを確認し、図12に示される支払いページに入る。支払いページ上で支払いが完了した後、ご祝儀メッセージテンプレートがセッションページ上に表示され、ご祝儀メッセージテンプレートがセッションページ上のセッションオブジェクトに対応する第2の端末に送信される。
【０１１４】
ソーシャルネットワーキングアプリケーションを使用することによってご祝儀メッセージテンプレートを受信した後、第2の端末がご祝儀メッセージテンプレートを描画し、第2の端末のセッションページ上にご祝儀メッセージテンプレートを表示する。ユーザは、表示されたご祝儀メッセージテンプレートをタップし、第2の端末上にあり、ソーシャルネットワーキングアプリケーションにログインするユーザ識別子と、ご祝儀メッセージテンプレートに対応するご祝儀識別子とを取得し、ユーザ識別子とご祝儀識別子とを伝えるご祝儀金額取得要求をサーバに送信する。サーバは、ご祝儀金額取得要求に応じて、ご祝儀識別子に対応するご祝儀金額を、ユーザ識別子に対応するマネー口座に転送する。
【０１１５】
当業者であれば、本実施形態の方法のプロセスのうちの全部または一部が、関連するハードウェアに命令するコンピュータプログラムによって実装され得ることが理解できるであろう。プログラムは、コンピュータ可読記憶媒体に記憶され得る。プログラムが実行されると、本実施形態の方法のプロセスが実行される。上述の記憶媒体は、磁気ディスク、光ディスク、読出し専用メモリ(ROM)、またはランダムアクセスメモリ(RAM)などの不揮発性記憶媒体であり得る。
【０１１６】
上述の実施形態の技術的特徴は、任意に組み合わせられてよい。説明を簡潔にするために、上述の実施形態における技術的特徴のすべての可能な組合せが記載されているわけではない。しかしながら、技術的特徴の組合せに矛盾がない限り、その組合せは本明細書に記載された範囲と見なされるものとする。
【０１１７】
上述の実施形態は、本出願のいくつかの実装形態を説明するにすぎず、したがって、それらの説明は具体的かつ詳細であるが、本開示の特許範囲に対する限定として理解され得ることはできない。当業者であれば、本出願の概念から逸脱することなしに、さらにいくつかの変形および改良を行うことができ、その変形および改良は本出願の保護範囲に属する点に留意すべきである。したがって、本出願の保護範囲は、添付の特許請求の範囲の保護範囲の対象となるべきである。
【符号の説明】
【０１１８】
110  第1の端末
120  サーバ
130  第2の端末
501  トリガボタン
501  リソース共有メッセージ構成ポータル
601  リソース共有メッセージ画像
602  リソース共有メッセージテキスト
701  リソース共有メッセージ画像
702  リソース共有メッセージテキスト
801  リソース共有メッセージ画像
802  リソース共有メッセージテキスト
803  リソース共有メッセージ構成ページ
804  切替え制御
901  リソース共有メッセージ画像
902  リソース共有メッセージテキスト
1401  リソース共有メッセージ画像
1501  結果表示ページ
1502  リソース取得結果
【図１】
2019508794.tif 000003
【図２】
2019508794.tif 000004
【図３】
2019508794.tif 000005
【図４】
2019508794.tif 000006
【図５】
2019508794.tif 000007
【図６】
2019508794.tif 000008
【図７】
2019508794.tif 000009
【図８】
2019508794.tif 000010
【図９】
2019508794.tif 000011
【図１０】
2019508794.tif 000012
【図１１】
2019508794.tif 000013
【図１２】
2019508794.tif 000014
【図１３】
2019508794.tif 000015
【図１４】
2019508794.tif 000016
【図１５】
2019508794.tif 000017
【図１６】
2019508794.tif 000018
【図１７】
2019508794.tif 000019
【国際調査報告】
2019508794.tif 000020
2019508794.tif 000021
2019508794.tif 000022
2019508794.tif 000023